(57)【要約】      （修正有）【課題】安定的かつ高精度で脈波を採取することができる脈波検出装置を提供する。【解決手段】指先１２の血管を流れる血流量の変化に基づき脈波検出を行うものであり、そのために、指先１２を押し当てる押圧部材１４と、この押圧部材１４に押し当てられた指先位置を安定的に保持する指先位置安定化手段３０と、を備えている。また、押圧部材１４を略均等な指圧で移動自在とする指圧均等化手段を備えることで、押圧部材１４から指先１２に加わる押圧力が均等化されるため、指先１２の撮影範囲や血流への影響が防止され、安定的に脈波を採取することが可能となる。【選択図】図４
2007244600.tif 000002
【特許請求の範囲】
【請求項１】
指先の血管を流れる血流量の変化に基づき脈波検出を行う脈波検出装置において、
指先を押し当てる押圧部材と、
該押圧部材に押し当てられた指先位置を安定化する指先位置安定化手段、又は前記押圧部材を略均等な指圧で指圧方向に移動自在とする指圧均等化手段の少なくともいずれか一方と、を備えている、
ことを特徴とする脈波検出装置。
【請求項２】
前記指先位置安定化手段は、
前記押圧部材を略水平に保持し、かつ指先先端側が接する先端部位が指先根元側が接する根元部位よりも指圧方向と反対方向に突出するように形成された保持部材を有する、
ことを特徴とする請求項１に記載の脈波検出装置。
【請求項３】
前記指先位置安定化手段は、
指先先端側が指先根元側よりも指圧方向に深く入り込むように前記押圧部材を傾斜保持し、かつ指先先端側が接する先端部位と指先根元側が接する根元部位とが略同一高さ面に形成された保持部材を有する、
ことを特徴とする請求項１に記載の脈波検出装置。
【請求項４】
前記指圧均等化手段は、
前記押圧部材の指圧方向への移動に際して指先に略均等な抵抗力を付与する弾性部材を有している、
ことを特徴とする請求項１〜３のいずれかに記載の脈波検出装置。
【請求項５】
指先の血管を流れる血流量の変化に基づき脈波検出を行う脈波検出方法において、
指先を押し当てる押圧面を有する押圧部材を、その指圧方向への移動に際して該押圧部材に略均等な抵抗力を付与する弾性部材にて支持し、
前記押圧部材が略均等圧にて押圧されている移動期間中に脈波検出を行う、
ことを特徴とする脈波検出方法。
【発明の詳細な説明】
【技術分野】
【０００１】
本発明は、脈波検出方法及び装置に関する。
【背景技術】
【０００２】
最近、健康管理器具に興味を持つ人が増えており、体脂肪計や脈波計、簡易的な心電計測器など個人で所有できるものも増えている。脈波計にあっては、検出した脈波を分析することで、個人（運転手）の精神状態（平常／異常）等を推測し、例えば自動車の安全運行に役立てることが考えられている。
【０００３】
脈波を採取する装置としては、例えば指や耳朶を挟むクリップ式センサ等がある。このような専用器具を利用しなくても、脈波はカメラや携帯電話機等に搭載されている皮膜ガラス付カメラでも、脈波を採取することができる。しかし、現在の皮膜ガラス付カメラでは、指位置が変動しやすく安定的な採取が困難である。
【０００４】
すなわち、例えば図１２は、デジタルカメラ等にて脈波を採取する場合の従来例を示している。この場合、保持部材１０１にレンズ１０２が保持され、その下方にＣＣＤ（Charge Coupled Devices）が配置されていて、このレンズ１０２に手指１０４を載せて脈波を採取する構造である。この場合、手指１０４がレンズ１０２に接触しないように注意することが必要である。
【０００５】
これに対し、手指１０４がレンズ１０２に接触しないように、浮かせたままで脈波を採取しようとすると、手指１０４が動き易く、また、この場合は反射光による画像も入力してしまうので、正確な脈波を採取することが困難となる。
【０００６】
また、図１３は、ＬＥＤ１０５とフォトセンサ１０６を用い、反射光により脈波を採取する装置の従来例を示している。しかし、この装置では、手指１０４の位置や指圧の変化によりデータが変動するおそれがある。この変動を防ぐためには、テープ等で手指１０４を固定しなければならない。
【０００７】
一方、指先による指紋入力部の押圧力が所定の大きさのときに、指紋検知を行う指紋検知装置が公知である（例えば、特許文献１参照）。この特許文献１には、ＣＣＤカメラのカバーに指を接触させ、押圧面を可動にして押込んだ状態（押圧が加わった状態）で指紋を採取する点が開示されている。
【特許文献１】特開平１１−２２５９９８号公報（第３頁、図１）
【発明の開示】
【発明が解決しようとする課題】
【０００８】
しかしながら、特許文献１では、指紋採取を目的としており、採取時間は一瞬であるため、押圧を加えた状態になるような構成となっている。このため、この装置により脈波採取を目的としたり、採取に一定の時間を要する場合は、不向きである。脈波を採取するには、少なくとも脈波の数サイクル（複数の脈動間隔）を採取する必要があるからである。
【０００９】
このため、最近では、携帯電話やＰＤＡ（Personal Digital Assistance）などに装備されている皮膜ガラス付カメラを用いて安定した脈波を計測できるような装置が要望されている。
【００１０】
本発明は、斯かる課題を解決するためになされたもので、その目的とするところは、安定的かつ高精度で脈波を採取することのできる脈波検出装置を提供することにある。
【課題を解決するための手段】
【００１１】
本発明は、指先の血管を流れる血流量の変化を検出して脈波検出を行うものであり、そのために、指先位置を安定化する指先位置安定化手段を備えることで、押圧部材に押し当てられた指先位置が移動しないように安定化して脈波を検出することが可能となる。また、押圧部材を略均等な指圧で移動自在とする指圧均等化手段を備えることで、押圧部材からの指先に加わる押圧力が均等化されるため、指先の撮像範囲や血流への影響が防止され、安定的に脈波を採取することが可能となる。
【００１２】
更に、本発明において、押圧部材が指先により略均等圧にて押圧されている移動期間中に脈波検出を行うことで、指先の撮像範囲や血流への影響が防止され、取得データの精度向上が図られる等の利点を有する。
【発明の効果】
【００１３】
本発明によれば、指先位置を安定化する指先位置安定化手段、又は押圧部材を略均等な指圧で移動自在とする指圧均等化手段の少なくともいずれか一方を備えたことで、安定的に脈波を採取することができる。また、押圧部材が略均等圧にて押圧されている移動期間中に脈波検出を行うことで、指先への押圧力の変化による撮像範囲や血流への影響が防止され、取得データの精度向上を図ることができる。
【発明を実施するための最良の形態】
【００１４】
以下、図面に基づき本発明の実施の形態を説明する。
（第１の実施の形態）
図１は、本実施の形態の脈波検出装置１０の概略構成を示す図である。
【００１５】
同図において、光源から出射された光１１は、指先１２とそこを流れる血液（正確には血中のヘモグロビン）によって一部遮られ、光量を落としながらも血液を透過して、指先１２を押し当てるガラス板等の押圧部材１４及びレンズ１５を介してＣＣＤ（電荷結合素子）１６に到達する。
【００１６】
このとき、心臓の拍動によって指先１２内の血液量が増減し、この血液によって遮られる光量も血液量に応じて変動する。この変動は、ＣＣＤ１６によって画像データとして電気的に検出される。この画像データを解析して得られるのが脈波である。
【００１７】
すなわち、脈波とは、血液が心臓の収縮により大動脈に押し出されたときに発生した血管内の圧力変化が抹消方向に伝わっていくときの波動のことであり、この波動による血管の容量変化を捕えたものが容量脈波である。
【００１８】
容量脈波の検出には、一般的に光学的方式が用いられ、本実施の形態では、この脈波の検出に透過式を用いている。この透過式は、発光部と受光部の間に測定部位を挟む方式で、測定部位として指先部や耳たぶが選ばれる。
【００１９】
なお、血中のヘモグロビンは、ある波長帯の光に強い吸収スペクトルを持っている。この波長帯の光を照射したときの透過光は、血管の容量変動に伴い変化するヘモグロビン量に応じて変化するので、この透過光の強度を電気信号に変えて脈波を検出する。
【００２０】
図１において、この脈波検出装置１０は、脈波データを取得するデータ取得部２２を有し、取得された脈波データは制御部１７に入力される。この制御部１７は、脈波検出部１８と、脈拍数・脈動間隔検出部１９と、状態判定部２０と、情報表示部２１とを有している。
【００２１】
データ取得部２２では、押圧部材１４に押し当てられた指先１２を透過する上方からの光１１の透過光を、ＣＣＤ１６で受光して脈波データを取得する。本実施形態では、指先１２に照射される光１１として、通常の可視光が用いられる。
【００２２】
図２（ａ）に示すように、脈波検出部１８では、脈波データから輝度変動検出と画像平均化処理を行って脈波波形Ａを得、図２（ｂ）に示すように、脈拍数・脈動間隔検出部１９では、脈波の振幅のピークをプロットしてピーク検出信号Ｂを得、図２（ｃ）に示すように、状態判定部２０では、これらの信号Ａ、Ｂに基づき、予め記憶していた正常範囲の脈拍数や脈拍状態、被験者の通常時の脈拍状態等と比較することで、脈拍数の大きな変化の有無や脈拍間隔の乱れの有無を検出する。また、図２（ｄ）に示すように、情報表示部２１では、「いつもより脈拍数が多いようです」とか、「脈が乱れているようです」等のメッセージを音声又は画面表示により出力する。
【００２３】
ここで、本実施の形態では、図３に示すように、データ取得部２２において、押圧部材１４に押し当てられた指先位置を安定化する指先位置安定化手段３０を備えたことを特徴としている。この指先位置安定化手段３０は、押圧部材１４を略水平に保持し、かつ指先先端側が接する先端部位３１ａが指先根元側が接する根元部位３１ｂよりも指圧方向と反対方向に突出するように形成された保持部材３１を有している。
【００２４】
すなわち、この保持部材３１は、略中央に光軸１１ａを中心として平面視略円形の開口部３２が形成されている。この開口部３２の下方には、押圧部材１４を略水平に保持する略円筒状の溝３３と、その下方に、下方に行くに従い小径となる円錐面３５を介して連通する円筒状の収容部３４とが形成されている。そして、この収容部３４に、前述したレンズ１５とＣＣＤ１６とが光軸１１ａに沿って所定間隔で収容されている。
【００２５】
更に、保持部材３１の上部は、指先１２を押圧部材１４に押し当てたときに、その指先先端側が接する先端部位３１ａ（図３の左方）が、指先根元側が接する根元部位３１ｂ（図３の右方）よりも指圧方向と反対方向（図３の上方）に突出するように形成されている。また、この先端部位３１ａの開口部３２との境界には突き当て面３１ｃが形成されている。
【００２６】
このように、指先１２の先端部位３１ａと根元部位３１ｂとに高さの差ｈを設けたのは、押圧部材１４に押し当てた指先１２がみだりに移動しないように指位置の安定化を図るためである。すなわち、若しも先端部位３１ａと根元部位３１ｂの高さを同一とした場合は、指先１２を自由に移動できるため、位置が不安定となり、指先１２の同一位置での脈波データの取得が困難となるからである。
【００２７】
そこで、本実施形態では、図４に示すように、押圧部材１４に指先１２を押し当てる際、先端部位３１ａの突き当て面３１ｃに指先１２の先端側を突き当てるようにする。これにより、押圧部材１４に押し当てた指先１２の位置が安定的に保持される。
【００２８】
なお、これら先端部位３１ａと根元部位３１ｂの押圧部材１４からの高さの差ｈは、指先１２の大きさ等に応じて任意に設定することができる。また、図３からは明らかでないが、先端部位３１ａと根元部位３１ｂとを結ぶ中途部は、指先１２の突き当て感度等を考慮して、高さが徐々に変化するように形成するのが好ましい。
【００２９】
本実施の形態によれば、指先位置安定化手段３０を設けたことにより、図４に示すように、押圧部材１４に指先１２を押し当てて脈波を検出する際に、指先先端側を先端部位３１ａの突き当て面３１ｃに突き当てるようにすれば、その位置を安定的に固定することができる。これにより、指先１２を略同一位置に保持して安定して脈波を検出することができる。その理由は、脈波を検出するには、一般に脈波の数サイクル分（複数の脈動間隔）を検出する必要があるため、その脈波採取中は指先１２の位置を安定的に固定することが、正確なデータを取得する上で好ましいからである。
（第２の実施の形態）
図５は、指先位置安定化手段３０の第２の実施の形態を示している。なお、第１の実施の形態と同一又は相当する部材には同一の符号を付して説明する。
【００３０】
図５において、この実施の形態では、指先位置安定化手段３０は、指先先端側が指先根元側よりも指圧方向に深く入り込むように押圧部材１４を傾斜保持し、かつ指先先端側が接する先端部位３１ａと指先根元側が接する根元部位３１ｂとが略同一高さ面に形成された保持部材３１を有する。
【００３１】
すなわち、この保持部材３１は、略中央に光軸１１ａを中心として平面視略円形の開口部３２が形成されている。この開口部３２の下方には、指先先端側が指先根元側よりも指圧方向に深く入り込むように押圧部材１４を傾斜して保持する略円筒状の溝３３と、その下方に、下方に至るに従い小径となり、かつ光軸１１ａに対し非対称の円錐面３５を介して連通する円筒状の収容部３４とが形成されている。このときの、押圧部材１４の傾斜角は任意の値を設定することができる。そして、この収容部３４に、前述と同様のレンズ１５とＣＣＤ１６とが光軸１１ａに沿って所定間隔で収容されている。
【００３２】
更に、保持部材３１の上部は、指先１２を押圧部材１４に押し当てたときに、その指先先端側が接する先端部位３１ａ（図５の左方）と、指先根元側が接する根元部位３１ｂ（図５の右方）とが略同一高さ面に形成されている。また、この先端部位３１ａの開口部３２との境界には突き当て面３１ｃが形成されている。
【００３３】
そして、図６に示すように、傾斜した押圧部材１４に指先を押し当てる際、先端部位３１ａに形成された突き当て面３１ｃに指先先端側を突き当てるようにする。これにより、押圧部材１４に押し当てた指先１２の位置が安定的に保持される。
【００３４】
本実施の形態によれば、指先位置安定化手段３０を設けたことにより、図６に示すように、押圧部材１４に指先１２を押し当てて脈波を検出する際に、指先先端側を先端部位３１ａの突き当て面３１ｃに突き当てるようにすれば、その位置を安定的に固定することができる。これにより、第１の実施の形態と同様に、安定して脈波を検出することができる。
（第３の実施の形態）
図７は、押圧部材１４を略均等な指圧で指圧方向に移動自在とする指圧均等化手段４０を備えた実施の形態を示している。なお、第１の実施の形態と同一又は相当する部材には同一の符号を付して説明する。
【００３５】
図７において、前述と同様に、保持部材３１は、略中央に光軸１１ａを中心として平面視略円形の開口部３２が形成されている。この開口部３２の下方には、押圧部材１４をバネ４１を介して略水平に保持する略円筒状の溝３３と、その下方に、円筒状の収容部３４とが連通形成されている。また、この収容部３４に、前述したレンズ１５とＣＣＤ１６とが光軸１１ａに沿って所定間隔で収容されている。
【００３６】
更に、保持部材３１の上部は、指先１２を押圧部材１４に押し当てたときに、その指先先端側が接する先端部位３１ａ（図７の左方）と、指先根元側が接する根元部位３１ｂ（図７の右方）とが略同一高さ面に形成されている。
【００３７】
本実施の形態では、指圧均等化手段４０は、押圧部材１４の指圧方向への移動に際して指先に略均等な抵抗力を付与するバネ４１（弾性部材）を有している。
図７に示すように、指先を保持部材３１の先端部位３１ａ（図の左方）と根元部位３１ｂ（図の右方）とで支持された状態で押圧部材１４に押し当て、所定の押圧力を付与する。すると、押圧部材１４は指圧方向に移動する。このとき、バネ４１として、ストロークの大小に拘わらず略一定の力で変位する定荷重バネを用いることにより、指先１２には略均等な抵抗力が付与される。
【００３８】
このように、指先１２に加わる圧力が略均等であると、血管に加わる圧力も略均等であることから、押圧部材１４を押圧する指先１２の押圧力の変化による撮像範囲の変化や血流への影響を防止することができる。こうして、安定した脈波を採取することができる。
【００３９】
なお、本実施の形態では、押圧部材１４を略水平に保持すると共に、保持部材３１の先端部位３１ａと根元部位３１ｂとを略同一面に形成した場合について説明したが、これに限らず、例えば図３に示したように、押圧部材１４を略水平に保持した状態で、先端部位３１ａを根元部位３１ｂよりも高く形成しても良いし、また、図５に示したように、押圧部材１４を傾斜保持した状態で、先端部位３１ａと根元部位３１ｂとを略同一面に形成しても良い。これにより、指先１２を安定的に保持することができるからである。
【００４０】
次に、本実施の形態による脈波の検出方法について説明する。
本実施の形態では、押圧部材１４に指先１２を押し当てることにより該押圧部材１４を指圧方向に移動させるが、この際、押圧部材１４にはバネ４１により略均等な抵抗力（付勢力）が付与されている。このため、押圧部材１４に略均等な付勢圧が付与されている期間中は、指先１２にも押圧部材１４から略均等な付勢圧が付与されていることになる。
【００４１】
よって、この押圧部材１４の移動期間中に、ＣＣＤ１６又は制御部１７をオン作動させて（例えば、２０〜４０ｓｅｃ間）、脈波検出を行うことが好ましい。この場合、押圧部材１４が移動始端又は移動終端にあるときは押圧部材１４が移動期間中ではないので、これを不図示のセンサにて検出すれば良い。
【００４２】
本実施の形態によれば、指先１２に加えられる押圧力が略一定のときにのみ脈波を取得することで、指先１２への押圧力の変化による撮像範囲や血流への影響が防止され、取得データの精度向上を図ることができる。また、押圧部材１４を、図３や図５のような形式で保持することで、安定して脈波を検出することができる。
（第４の実施の形態）
図８は、押圧部材１４を略均等な指圧で指圧方向に移動自在とする指圧均等化手段４０を備えた実施の形態を示している。なお、第１の実施の形態と同一又は相当する部材には同一の符号を付して説明する。
【００４３】
図８において、保持部材３１は、略中央に光軸１１ａを中心として平面視略円形の開口部３２が形成されている。この開口部３２の下方には、押圧部材１４をバネ４１を介して略水平に保持する略円筒状の溝３３と、その下方に、円筒状の収容部３４とが連通形成されている。また、この押圧部材１４の下方に、レンズ１５とＣＣＤ１６とが光軸１１ａに沿って所定間隔で配置されている。
【００４４】
更に、これら押圧部材１４、レンズ１５、及びＣＣＤ１６は、フレーム部材４２により一体的に支持されていて、この一体化された押圧部材１４とレンズ１５、及びＣＣＤ１６が溝３３と収容部３４に収容されている。また、押圧部材１４は、下方からバネ４１（弾性部材）によって支持されている。このバネ４１は、例えばストロークの大小に拘わらず略一定の力で変位する定荷重バネを用いるのが好ましい。
【００４５】
このとき、押圧部材１４を指先１２で押圧すると、押圧部材１４はその移動に際してバネ４１の付勢力に抗して移動することになり、また、バネ４１が定荷重バネであると、指先１２には略均等な抵抗力が付与される。
【００４６】
なお、本実施の形態では、押圧部材１４を略水平に保持すると共に、保持部材３１の先端部位３１ａと根元部位３１ｂとを略同一面に形成した場合について説明したが、これに限らず、例えば図３に示したように、押圧部材１４を略水平に保持した状態で、先端部位３１ａを根元部位３１ｂよりも高く形成しても良いし、また、図５に示したように、押圧部材１４を傾斜保持した状態で、先端部位３１ａと根元部位３１ｂとを略同一面に形成しても良い。
【００４７】
更に、脈波の検出方法については、前述した第３の実施の形態で説明したのと同様の方法によって検出する。
本実施の形態によれば、指先１２に加えられる押圧力が略一定のときにのみ脈波を取得することで、取得データの精度向上を図ることができる。また、押圧部材１４を、図３や図５のような形式で保持することで、安定して脈波を検出することができる。
（第５の実施の形態）
図９は、押圧部材１４を略均等な指圧で指圧方向に移動自在とする指圧均等化手段４０を備えた実施の形態を示している。なお、第１の実施の形態と同一又は相当する部材には同一の符号を付して説明する。
【００４８】
図９において、保持部材３１は、略中央に光軸１１ａを中心として略円形の開口部３２が形成されていて、内側に略円筒状の収容空間４６が形成されている。この収容空間４６には、押圧部材１４とレンズ１５、及びＣＣＤ１６が、フレーム部材４２により一体的に支持されている。
【００４９】
また、これら一体化された押圧部材１４とレンズ１５、及びＣＣＤ１６は、保持部材３１とフレーム部材４２との間に張設されたばね４４（弾性部材）により吊下支持されている。これにより、押圧部材１４には、ばね４４によって上向きの付勢力が付与され、保持部材３１の先端側部位３１ａと根元側部位３１ｂの下面に所定の付勢圧で接触している状態で支持されている。
【００５０】
このバネ４４としては、例えば前述したと同様の定荷重バネを用いるのが好ましい。このため、押圧部材１４を指先１２で上方から押圧すると、押圧部材１４はレンズ１５等と一体で下方（指圧方向）に移動し、その移動に際してバネ４４の付勢力に抗して移動することになる。また、バネ４４は定荷重バネが用いられているため、指先１２には略均等な抵抗力が付与される。
【００５１】
なお、本実施の形態では、押圧部材１４を略水平に保持すると共に、保持部材３１の先端部位３１ａと根元部位３１ｂとを略同一面に形成した場合について説明したが、これに限らず、例えば図３に示したように、押圧部材１４を略水平に保持した状態で、先端部位３１ａを根元部位３１ｂよりも高く形成しても良いし、また、図５に示したように、押圧部材１４を傾斜保持した状態で、先端部位３１ａと根元部位３１ｂとを略同一面に形成しても良い。
【００５２】
なお、脈波の検出方法については、前述した第３の実施の形態で説明したのと同様の方法によって検出する。
本実施の形態によれば、指先１２に加えられる押圧力が略一定のときにのみ脈波を取得することで、取得データの精度向上を図ることができる。また、押圧部材１４を、図３や図５のような形式で保持することで、安定して脈波を検出することができる。
（第６の実施の形態）
図１０（ａ）〜（ｃ）は、本実施の形態の脈波検出装置１０を携帯電話機５０に適用した実施の形態を示している。なお、第１の実施の形態と同一又は相当する部材には同一の符号を付して説明する。
【００５３】
図１０（ａ）は、脈波検出装置１０を組み込んだ携帯電話機５０の外観を示す図であり、図１０（ｂ）は、携帯電話機５０の表示面５１側に押圧部材１４（被膜ガラス）を配置した実施の形態を示し、図１０（ｃ）は、携帯電話機５０の表示面５１の背面側に押圧部材１４（被膜ガラス）を配置した実施の形態を示している。そして、これらの押圧部材１４の下方には、不図示の携帯電話機５０に装備された被膜ガラス付カメラのレンズやＣＣＤが配置されている。
【００５４】
また、この押圧部材１４は、前述した第１〜第５の実施の形態で示した保持部材３１により指先位置を安定的に、また好ましくは指先に略均等な圧力が加わるように支持されている。
【００５５】
本発明の構成は、脈波検出部１８、脈拍数・脈動間隔検出部１９、状態判定部２０、情報表示部２１、データ取得部２２が１台のコンピュータ上に搭載されても、また別のコンピュータ上にそれぞれ搭載されても構わない。一例として、図１１は、上述した携帯電話機５０の信号送受信の実施の形態を示している。
【００５６】
本実施の形態では、携帯電話機５０側にデータ取得部２２と情報表示部２１を備え、データ取得部２２にて取得した脈波データを無線にてサーバ５２側に送信し、該サーバ５２側にてデータ処理されてその処理信号が無線にて携帯電話機５０側に送信され、情報表示部２１にて表示される。また、サーバ５２側には、前述した脈波検出部１８、脈拍数・脈動間隔検出部１９、状態判定部２０が設けられている。
【００５７】
このような構成とすることにより、携帯電話機５０側の制御構成を簡潔なものとすることができる。なお、本実施の形態では、携帯電話機５０側にて取得した脈波データをサーバ５２側で処理する場合について説明したが、これに限らず、携帯電話機５０側で全てのデータ処理を行うようにしても良い。
【００５８】
また、本実施の形態では、携帯電話機５０に装備されている被膜ガラス付カメラを利用して脈波検出装置１０を組み込んだ場合について説明したが、これに限らず、例えばＰＤＡ（Personal Digital Assistance）等に装備されている被膜ガラス付カメラを用いて脈波検出装置１０を組み込むこともできる。
【００５９】
本実施の形態によれば、専用の脈波検出装置１０を用いることなく、携帯電話機５０の被膜ガラス付カメラを利用して脈波検出装置１０を組み込んだことで、脈波を簡単かつ安定的に採取することができる。
【００６０】
（付記１）
指先の血管を流れる血流量の変化に基づき脈波検出を行う脈波検出装置において、
指先を押し当てる押圧部材と、
該押圧部材に押し当てられた指先位置を安定化する指先位置安定化手段、又は前記押圧部材を略均等な指圧で指圧方向に移動自在とする指圧均等化手段の少なくともいずれか一方と、を備えている、
ことを特徴とする脈波検出装置。
（付記２）
前記指先位置安定化手段は、
前記押圧部材を略水平に保持し、かつ指先先端側が接する先端部位が指先根元側が接する根元部位よりも指圧方向と反対方向に突出するように形成された保持部材を有する、
ことを特徴とする付記１に記載の脈波検出装置。
（付記３）
前記指先位置安定化手段は、
指先先端側が指先根元側よりも指圧方向に深く入り込むように前記押圧部材を傾斜保持し、かつ指先先端側が接する先端部位と指先根元側が接する根元部位とが略同一高さ面に形成された保持部材を有する、
ことを特徴とする付記１に記載の脈波検出装置。
（付記４）
前記指圧均等化手段は、
前記押圧部材の指圧方向への移動に際して指先に略均等な抵抗力を付与する弾性部材を有している、
ことを特徴とする付記１〜３のいずれかに記載の脈波検出装置。
（付記５）
前記押圧部材と、指先を透過した透過光を受光する受光素子と、が一体的に固定され、
前記指圧均等化手段は、
前記押圧部材の移動に際して該押圧部材に略均等な抵抗力を付与する弾性部材を有している、
ことを特徴とする付記１〜３のいずれかに記載の脈波検出装置。
（付記６）
指先の血管を流れる血流量の変化に基づき脈波検出を行う脈波検出方法において、
指先を押し当てる押圧面を有する押圧部材を、その指圧方向への移動に際して該押圧部材に略均等な抵抗力を付与する弾性部材にて支持し、
前記押圧部材が略均等圧にて押圧されている移動期間中に脈波検出を行う、
ことを特徴とする脈波検出方法。
【図面の簡単な説明】
【００６１】
【図１】本発明に係る脈波検出装置の全体構成を示すブロック図である。
【図２】（ａ）〜（ｄ）は、脈波検出データの処理内容を示す図である。
【図３】第１の実施の形態の保持部材の断面正面図である。
【図４】同上の脈波検出状態を示す図である。
【図５】第２の実施の形態の保持部材の断面正面図である。
【図６】同上の脈波検出状態を示す図である。
【図７】第３の実施の形態の保持部材の断面正面図である。
【図８】第４の実施の形態の保持部材の断面正面図である。
【図９】第５の実施の形態の保持部材の断面正面図である。
【図１０】（ａ）は、脈波検出装置を組み込んだ携帯電話機の外観を示す図、（ｂ）は、表示面側に押圧部材（被膜ガラス）を配置した携帯電話機の外観を示す図、（ｃ）は、表示面の背面側に押圧部材（被膜ガラス）を配置した携帯電話機の外観を示す図である。
【図１１】同上の制御ブロック図である。
【図１２】従来の保持部材の断面正面図である。
【図１３】従来の保持部材の断面正面図である。
【符号の説明】
【００６２】
１０    脈波検出装置
１１    光
１１ａ  光軸
１２    指先
１４    押圧部材
１５    レンズ
１６    ＣＣＤ
１７    制御部
１８    脈波検出部
１９    脈拍数・脈動間隔検出部
２０    状態検出部
２１    情報表示部
２２    データ取得部
３０    指先位置安定化手段
３１    保持部材
３１ａ  先端部位
３１ｂ  根元部位
３１ｃ  突き当て面
３２    開口部
３３    溝
３４    収容部
３５    円錐面
４０    指圧均等化手段
４１    バネ
４２    フレーム部材
４４    バネ
４６    収容空間
５０    携帯電話機
５１    表示面
５２    サーバ
【図１】
2007244600.tif 000003
【図２】
2007244600.tif 000004
【図３】
2007244600.tif 000005
【図４】
2007244600.tif 000006
【図５】
2007244600.tif 000007
【図６】
2007244600.tif 000008
【図７】
2007244600.tif 000009
【図８】
2007244600.tif 000010
【図１１】
2007244600.tif 000011
【図１２】
2007244600.tif 000012
【図１３】
2007244600.tif 000013
【図９】
2007244600.tif 000014
【図１０】
2007244600.tif 000015